(57)【要約】【課題】ガイド部とトリガが摩耗しにくく、トリガの操作性も損なわれることがない。【解決手段】工具本体１のグリップ２の基部にガイド部３３を設け、このガイド部３３に起動用トリガ１６を摺動自在にガイドさせる打込み工具のトリガ１６のガイド機構において、上記トリガ１６の側面に金属製突部３１を突出させるとともに、上記ガイド部３３の内面には、上記トリガ１６の摺動時に連続して上記突部３１に係合する金属製の案内部材３７を取り付けた。【選択図】図５
2007021594.tif 000002
【特許請求の範囲】
【請求項１】
工具本体のグリップの基部にガイド部を設け、このガイド部に起動用トリガを摺動自在に収納してガイドさせる打込み工具のトリガのガイド機構において、
上記トリガの側面に金属製突部を突出させるとともに、上記ガイド部の内面には、上記トリガの摺動時に連続して上記突部に係合する金属製の案内部材を取り付けた
ことを特徴とする打込み工具のトリガのガイド機構。
【請求項２】
上記案内部材は上記ガイド部に着脱自在に取り付けられたことを特徴とする、請求項１記載の打込み工具のトリガのガイド機構。
【発明の詳細な説明】
【技術分野】
【０００１】
本発明は、工具本体のグリップの基部にガイド部を設け、このガイド部に起動用トリガを摺動自在にガイドさせる打込み工具において、上記トリガを円滑にガイドする打込み工具のトリガのガイド機構に関するものである。
【背景技術】
【０００２】
例えば、打ち込み工具の一例として、ガス燃焼式釘打機があるが、これは、工具本体内に密閉された燃焼室内へ可燃性ガスを注入して燃焼室内で可燃性ガスと空気との混合ガスを撹拌し、撹拌された混合ガスを燃焼室内で燃焼させることによって燃焼室内に高圧の燃焼ガスを発生させ、この高圧の燃焼ガスを打撃シリンダ内に収容されている打撃ピストンに作用させて打撃ピストンを打撃シリンダ内で衝撃的に駆動させ、この打撃ピストンの下面側に結合されているドライバによって、ボディの下方のノーズ部に供給された釘を鋼板やコンクリートへ打ち込むようにしたものである。
【０００３】
ところで、上記燃焼室に充満した混合ガスにはスパークを発生させて点火させるスイッチが設けられ、合成樹脂製の工具本体にはガイド部が形成され、このガイド部にスイッチをオンさせるためのトリガが摺動自在に収納されている。そして、トリガを引き操作して直線状に作動させることにより、スイッチを押し込んでオンさせるようになっている。打ち込み作動後、上記燃焼室は開放される。
【０００４】
ところで、上記トリガは合成樹脂部品で、その一側には、燃焼室の密閉、開放とともに作動するＪ字状のアームが一体的に形成されている。アームは工具本体内に収納され、それ以外の本体部分は外に露出している。このように、トリガは指を掛ける本体部分をはさんで前後に対称な形にはなっていない。また、ガイド部とトリガとの間にはわずかながらクリアランスがある。したがって、トリガに指を掛けて引いたとき、アーム側が残り、反対側が引っ張られる、つまりトリガが前後方向に回動するようなモーメントが働く。このため、引き操作時にガイド部の内面とトリガの外面との間に摩擦が発生する。ガイド部もトリガも合成樹脂であるから、耐摩耗性に優れているわけではないから、繰り返しスイッチ操作するうち、徐々に摩擦面が摩耗していく。そして、ガイド部とトリガとの間のクリアランスが大きくなり、さらにトリガの回動傾向が強くなって摩耗がいっそう進む。このため、広がったクリアランスから、工具本体の内部に作業環境に存在する砂などの粒子が入り込む。特に、手袋をして打ち込み作業をした場合は、手袋自体に多くの細かい砂等の粒子が付着しているので、進入しやすい。これらの粒子はガイド部とトリガとの摩耗をさらに促進させる。摩耗がひどくなると、トリガが摺動方向に対して斜めになってしまうため、ストロークエンドまで摺動できなくなったり、スイッチ内にはいりこんで、接点を押すことができなくなってしまうことがある。
【特許文献１】特開平８−２９０３７０号公報
【発明の開示】
【発明が解決しようとする課題】
【０００５】
このため、ガイド部とスイッチとを鉄等の金属によって構成することも考えられる。しかし、金属は耐摩耗性には優れているが、重いため、全体の重量が増えてしまい、取り扱いにくくなってしまう。
【０００６】
また、逆の発想で、ガイド部とトリガとの間のクリアランスを大きくして、入り込んだ砂を容易に外に排出できるようにするということも考えられている。しかしながら、砂の排出には効果的であっても、クリアランスが大きいと、トリガを引いたときのガタも大きいので、操作性がよくないという欠点がある。
【０００７】
本発明は前記欠点を解消し、ガイド部とトリガが摩耗しにくく、砂の進入を良好に防止できるとともに、トリガの操作性も損なわれることがない打込み工具のトリガのガイド機構を提供することをその課題とする。
【課題を解決するための手段】
【０００８】
前記課題を解決するため、請求項１に係る発明は、工具本体のグリップの基部にガイド部を設け、このガイド部に起動用トリガを摺動自在に収納してガイドさせる打込み工具のトリガのガイド機構において、上記トリガの側面に金属製突部を突出させるとともに、上記ガイド部の内面には、上記トリガの摺動時に連続して上記突部に係合する金属製の案内部材を取り付けたことを特徴とする。
【０００９】
請求項２に係る発明は、上記案内部材が上記ガイド部に着脱自在に取り付けられたことを特徴とする。
【発明の効果】
【００１０】
請求項１に係る発明によれば、トリガが摺動するときに、トリガの側面に突出したガイド金具はガイド部の案内部材によって案内されるので、ガイド金具と案内部材との間に摩擦が発生するが、両者ともに金属製であるから、摩耗は非常に小さい。したがって、ガイド金具と案内部材との間の隙間も小さく保持することができるため、作業環境に存在する砂等の微小粒子の進入を良好に防止できるとともに、トリガは常に円滑かつ確実に操作することができる。
【００１１】
請求項２に係る発明によれば、案内部材の摩耗が大きくなったときは、簡単に交換することができる。
【発明を実施するための最良の形態】
【００１２】
図１において符号１はガス燃焼式打込み工具（釘打機）の工具本体を示す。この工具本体１は合成樹脂製で、グリップ２とマガジン３とが連設されているとともに、打撃ピストン・シリンダ機構４と燃焼室５とが設けられている。
【００１３】
打撃ピストン・シリンダ機構４は、打撃シリンダ６内に打撃ピストン７を摺動自在に収容するとともに、打撃ピストン７の下方にドライバ８を一体的に結合させたものである。
【００１４】
燃焼室５は、上記打撃ピストン７の上端面と打撃シリンダ６と上部ハウジング９の内部に形成された上部壁（シリンダヘッド）１０との間に配置されている環状の可動スリーブ１１とによって形成されており、可動スリーブ１１を矢印のように上部壁１０に当るまでに移動させることにより密閉された燃焼室５が形成され、下方に移動させることにより燃焼室５の上部が大気に連通するように構成されている。
【００１５】
可動スリーブ１１はリンク部材１２を介してコンタクトアーム１３と連係している。ノーズ部１５を被打込み材Ｐに押し付けることによりコンタクトアーム１３が相対的に上方に移動し、リンク部材１２をバネ１４に抗して押し上げて可動スリーブ１１を移動させる。これにより燃焼室５内は大気と遮断され、密閉された燃焼室５が形成されるのである。
【００１６】
燃焼室が密閉された後、トリガ１６を引くと、点火プラグ１７が混合ガスに点火し、混合ガスは燃焼して爆発的に膨張する。この燃焼ガスの圧力が打撃ピストン７の上面に作用して下方に駆動するので、ドライバ８がノーズ部６内に供給されている先頭釘Ｎ１を打撃し、被打込み材Ｐ中に打ち込む。その後、可動スリーブ１１は下動し、再び燃焼室５は開放される。
【００１７】
次に、上記点火プラグ１７を作動させるための点火用スイッチ１８とトリガ１６はグリップ２の基部に設けられ、バネ１９によって下方に付勢されている。すなわち、トリガ１６は図３（ａ）（ｂ）〜図６に示されるように、それぞれ合成樹脂から成る直方体状のトリガ本体１６ａとＪ字状のアーム１６ｂとから構成されている。トリガ本体１６ａとアーム１６ｂとはピン２０と長孔２１で結合しているとともに、上下方向に相対的に移動可能となっており、バネ２２で互いに上下に遠ざかるように付勢されている。また、トリガ本体１６ａの一側にはガイド突片２８が形成されている。また、アーム１６ｂの上端には突起２３が形成され、外側面にはガイド突部２４が形成され、下端には係合軸２５が突出形成されている。この係合軸２５は工具本体１に回動自在に設けられたロックプレート２６の係合溝２７に係合している（図２参照）。
【００１８】
さらに、トリガ本体１６ａのアーム１６ｂと反対側の上部側壁３０には、金属製の軸ピン３１ａが左右方向に貫通し、これによりトリガ本体１６ａの側面に突部３１が突出している。軸ピン３１ａの中央寄りの２つの溝２９には上記側壁３０の内側に配置されたゴム製座金３２が係合し、軸ピン３１ａが左右に飛び出さないように保持されている。
【００１９】
次に、図６に示されるように、工具本体１とグリップ２は左右の部材１ａ、２ａと部材１ｂ、２ｂに分割構成され、グリップ２の基部にはトリガ用ガイド部３３が形成されている。ガイド部３３は下方と工具本体側が開口した箱形に形成され、その左右両側内面には、各３本の突条３４、３５、３６が形成されている。工具本体側に近い前部の２本の突条３４、３５は互いに近接した位置に形成され、他の１本の突条３６は後端部近傍に形成されている。ガイド部３３の上底部には点火用のリミットスイッチ１８が設けられている。
【００２０】
ところで、図５および図６に示されるように、上記ガイド部３３の両側前後の突条３５、３６間には空間が形成されており、この空間には鉄等の金属からなる案内部材３７が配置されている。この案内部材３７はコ字形の板金部材で、その幅は上記空間に収納したときに、一側の脚片３８とガイド部３３の後側の突条３６との間に、トリガ１６の突部３１が摺動可能に入る程度に形成されている。また、両側の脚片３８の高さは突条３５、３６の高さと略同じに形成されている。なお、案内部材３７は耐摩耗性を高めるため熱処理しておくのが好ましい。
【００２１】
上記トリガ１６はガイド部３３の下から挿入され、その左右両側の突条３４、３５、３６間の空間内に摺動自在に収納されている。特別の固定手段は不要である。これにより、図に示されるように、トリガ１６の突部３１は案内部材３７の一方の脚片３８の外面に係合する。また、トリガ１６の一側のガイド突片２８はガイド部３３の前部一側の２本の突条３４、３５の間に配置される。アーム１６ｂの側面のガイド突部２４はガイド部３３の他側の２本の突条３４、３５と係合するように配置される。
【００２２】
上述の構成において、打ち込み時にトリガ１６を引いて上方に摺動させると、図２のように上端の突起２３がガイド部３３の上底部のリミットスイッチ１８の接点を押してスイッチをオンさせる。
【００２３】
ところで、上述のようにトリガ１６が摺動するときは、図４、図５および図６に示されるように、トリガ本体１６ａのガイド突部２４とアーム１６ｂのガイド突片２８はガイド部３３の前部の突条３４、３５によってガイドされ、また、トリガ１６の突部３１は連続してガイド部３３の案内部材３７の脚片３８の外面に沿って摺動するように案内される。
【００２４】
また、トリガ本体１６ａに指を掛けて引き上げるとき、前側にはアーム１６ｂが連結されているから、前よりも後ろ側が先に持ち上げられる傾向があり、アーム１６ｂに対してピン２０を介して回動可能になっているのでなおさらである。このため、後ろ側の突部３１と案内部材３７の後ろ側の脚片３８との間の摩擦力が最も大きくなる。しかし、突部３１も案内部材３７もともに金属製であるから、摺動抵抗は小さく、摺動部分も摩耗しにくい。したがって、トリガ１６の摺動は常にスムーズとなるから、トリガ１６とガイド部３３との間の摩耗も小さくなり、両者間の隙間も小さく保持することができる。このため、砂の進入を良好に防止できるとともに、トリガ１６は常に円滑かつ確実に操作することができる。また、案内部材３７の摩耗が大きくなったときは、簡単に交換することができる。
【００２５】
ところで、図２のようにトリガ１６を引き操作したとき、少し遅れてアーム１６ｂも上動し、その係合軸２５がロックプレート２６を回動させてロックプレート２６は、打ち込み時に可動スリーブ１１とともに上動したリンク部材１２の屈曲部３９の下方に入る。このため、トリガ１６はロックされ、打ち込み後に下動スリーブ１１が下方に移動したときロックプレート２６が押し出されてロックが解除されるまで下方に復帰できない。
【００２６】
なお、案内部材はコ字形のものに限定されない。たとえば厚板状、角棒状又は角筒状に形成し、ガイド部に案内部材を固定するための固定壁を形成し、この固定壁に上記案内部材を係止、接着、ネジ止め等によって固定する構成でもよい。
【００２７】
同様に、突部３１も軸ピンによる円形突部に限定されない。角形でも、板状でもよい。また、断面Ｃ字形のスプリングピンでもよい。
【００２８】
これに関連し、軸ピン３１ａは、図７に示されるように、拡径頭部の軸ピン３１ａの一側に係合溝２９を形成し、トリガ本体１６ａを貫通したとき、その一側壁をはさんで上記拡径頭部の反対側に、上記係合溝２９にゴム製座金３２を係合させる構成であってもよい。
【００２９】
さらに、上述の実施形態とは反対に、上記ガイド部の内面に金属製突部を突出させるとともに、上記トリガ本体の側面には、摺動時に連続して上記突部に係合する金属製の案内部材を取り付けた構成としてもよい。
【００３０】
上述の打込み工具のトリガのガイド機構は、ガス燃焼式の打ち込み工具だけでなく、電動工具にも適用することができる。
【図面の簡単な説明】
【００３１】
【図１】ガス燃焼式釘打機の非作動時の要部を示す縦断面図である。
【図２】上記ガス燃焼式釘打機の作動時の一部の拡大断面図である。
【図３】（ａ）（ｂ）はそれぞれトリガとその分解斜視図である。
【図４】図１の要部拡大図である。
【図５】図４のＡ−Ａ線上の断面図である。
【図６】工具本体とトリガ部分の分解斜視図である。
【図７】軸ピンの他の実施形態の分解斜視図である。
【符号の説明】
【００３２】
２  グリップ
１６  トリガ
３１  突部
３３  ガイド部
３７  案内部材
【図１】
2007021594.tif 000003
【図２】
2007021594.tif 000004
【図３】
2007021594.tif 000005
【図４】
2007021594.tif 000006
【図５】
2007021594.tif 000007
【図６】
2007021594.tif 000008
【図７】
2007021594.tif 000009